(57)【要約】【課題】従来、留守番電話機においては、ユーザが留守モードに設定している時に停電があると留守モードが解除されて在宅モードになってしまい、着信があっても自動応答して用件メッセージを録音することができないという問題があった。【解決手段】回線からの着信に対する２つの動作モードである留守モードと在宅モードと、前記２つの動作モードのうちユーザによって設定された動作モードを記憶する動作モード記憶手段とを有し、電源投入時に前記動作モード記憶手段が記憶している動作モード情報をチェックし、チェックの結果動作モード情報が壊れていれば留守モードに設定することにより、ユーザが留守モードに設定している時に停電があると留守モードが解除されて在宅モードになってしまい、着信があっても自動応答して用件メッセージを録音することができないという問題を解決することができる。【選択図】      図３
2005012338.tif 000002
【特許請求の範囲】
【請求項１】
加入者回線に接続され、回線からの着信に対する２つの動作モードである留守モードと在宅モードと、前記２つの動作モードのうちユーザによって設定された動作モードを記憶する動作モード記憶手段とを有する留守番電話機であって、
電源投入時に前記動作モード記憶手段が記憶している動作モード情報をチェックし、チェックの結果前記動作モード記憶手段が記憶している動作モード情報が壊れている場合には留守モードに設定する設定手段を有することを特徴とする留守番電話機。
【請求項２】
工場出荷時にセットされる工場出荷フラグを有し、前記設定手段は、前記動作モード情報のチェックの結果動作モード情報が壊れていると判断した場合には前記工場出荷フラグを参照し、前記工場出荷フラグがセットされている場合には在宅モードに設定し、その後に前記工場出荷フラグをリセットすることを特徴とする請求項１に記載の留守番電話機。
【発明の詳細な説明】
【０００１】
【発明の属する技術分野】
本発明は、加入者回線に接続され回線からの着信に対して自動的に応答し用件メッセージを録音することができる留守番電話機に関する。
【０００２】
【従来の技術】
従来、動作モードやパラメータを記憶するＲＡＭはバッテリーバックアップされてデータが壊れにくいようにされているが、長時間電源をオフすると保持されているデータ壊れてしまっていた（例えば、特許文献１参照。）。
【０００３】
そして電源オンの際にはＲＡＭをチェックし、データが壊れているとＲＡＭの初期化を行い、動作モードは在宅モードになっていた。
【０００４】
【特許文献１】
特開２０００−７８３２４号公報（請求項１、段落番号００１４−００１５）
【０００５】
【発明が解決しようとする課題】
しかしながら、従来の構成の場合、ユーザが留守モードに設定している時に停電があると留守モードが解除されて在宅モードになってしまい、着信があっても自動応答して用件メッセージを録音することができないという問題が生じた。
【０００６】
そこで、ＲＡＭの初期化の際に動作モードを留守モードにするようにすれば、ユーザが留守番電話を購入し、電源をオンした際にはＲＡＭのデータが壊れているので、いきなり留守モードになり、ユーザに不自然な感じを与えるという問題が生じることが考えられる。
【０００７】
【課題を解決するための手段】
本発明においては、留守モードと在宅モードの回線からの着信に対する２つの動作モードと、前記２つの動作モードのうちユーザによって設定された動作モードを記憶する動作モード記憶手段と、工場出荷時にセットされる工場出荷フラグを有し、
工場出荷時には前記工場出荷フラグがセットされており、電源投入時に前記動作モード記憶手段が記憶している動作モード情報をチェックチェックの結果前記動作モード記憶手段が記憶している動作モード情報が壊れていれば前記工場出荷フラグを参照し、前記工場出荷フラグがセットされていない場合には留守モードに、前記工場出荷フラグがセットされている場合には在宅モードに設定して動作する。
【０００８】
【発明の実施の形態】
図１は、本発明の一実施例である留守番電話１００を示すブロック図である。
図１において、１０９は通信回線であり、この通信回線１０９を介して相手電話機との通話を行なう。
【０００９】
１０１は、通信回線１０９を介して相手電話機と接続するためのＮＣＵであり、このＮＣＵ１０１を介して本装置は通信回線１０９に接続される。ＮＣＵ１０１は、通信回線１０９側と装置内部との電気的絶縁、制御部１０４の指示による回線の捕捉、解放、ダイヤルパルス、トーンの送出、回線の監視等などの公知の機能を有するものとする。
【００１０】
１０２はＲＡＭであり、着信時の動作モード、着信履歴データ、制御データ等を記憶する。
【００１１】
１０３はＲＯＭであり、制御部１０４の制御プログラム、各種設定の初期値が記憶されている。
【００１２】
１０４は制御部であり、マイクロプロセッサなどから構成され、ＲＯＭ１０４に記述されたプログラムに従って図１の各機能ブロックを制御する。
【００１３】
１０５は、キーボードないしポインティングデバイスなどから成り、後述の表示部１０６とともにユーザーインターフェースを構成する操作部であり、発呼／着呼／登録等に関するオペレータの操作を受け付け、制御部１０４へオペレータの操作を通知する。
【００１４】
１０６は表示部であり、発呼時のダイヤル、装置の状態等、オペレータに伝達すべき情報を表示する。
【００１５】
１０７はＦｌａｓｈＭｅｍｏｒｙであり、電話帳データ、工場出荷フラグなどの書き込みに時間がかかってもよい情報を記憶している。
【００１６】
１０８はスピーカであり、回線上の音声信号のモニタ、オペレータの呼び出し、操作音やエラー音を鳴らすために用いられる。これらの音声をスピーカ１０８から出力するために、不図示の音声合成回路や増幅器などが用いられるものとする。
【００１７】
図２は、本発明の一実施例である留守番電話１００のＲＡＭ１０２とＦｌａｓｈＭｅｍｏｒｙ１０７の構成を示す図である。動作モードは、専用キーの押下で留守モードと在宅モードを素早く切り替える必要があるため応答の速いＲＡＭ１０２の動作モード記憶領域２０１に記憶し、工場出荷フラグは応答速度が遅くてもよいのでＦｌａｓｈＭｅｍｏｒｙ１０７の工場出荷フラグ２０２部分に記憶する。
【００１８】
この工場出荷フラグは、工場出荷時にセットされる。
【００１９】
図３は、本発明の一実施例である留守番電話１００の電源オン時の処理を示す流れ図である。
【００２０】
図３において、３０１ではＲＡＭ１０２に保持されているデータ内容をチェックし、データが壊れているか否かを判定する。データ異常と判断した場合は３０２へ進みデータ正常と判断した場合は電源オン処理を終了する。３０２では工場出荷フラグがオンかオフかを判断し、オンの場合は３０３へ進み、オフの場合は３０４へ進む。３０３では工場出荷後初めての電源オン操作であると考えられるので、動作モードを留守モードに設定して前記工場出荷フラグをリセットし、電源オン処理を終了する。３０４では、使用開始後に電源オフ時のデータ損失が発生した後の電源オン操作であると考えられるので、動作モードを留守番モードに設定し電源オン処理を終了する。
【００２１】
【発明の効果】
以上説明したように本発明の請求項１によれば、回線からの着信に対する留守モードと在宅モードの２つの動作モードと、前記２つの動作モードのうちユーザによって設定された動作モードを記憶する動作モード記憶手段とを有し、
電源投入時に前記動作モード記憶手段が記憶している動作モード情報をチェックして、チェックの結果前記動作モード記憶手段が記憶している動作モード情報が壊れていれば留守モードに設定して動作することにより、
ユーザが留守モードに設定している時に停電があると留守モードが解除されて在宅モードになってしまい、着信があっても自動応答して用件メッセージを録音することができないという問題を解決することができる。
【００２２】
また、本発明の請求項２によれば、工場出荷時にセットされる工場出荷フラグを有し、前記設定手段は、前記動作モード情報のチェックの結果動作モード情報が壊れていると判断した場合には前記工場出荷フラグを参照し、前記工場出荷フラグがセットされている場合には在宅モードに設定し、その後に前記工場出荷フラグをリセットするので、ユーザが留守番電話を購入し、電源をオンした際にはＲＡＭのデータが壊れているので、いきなり留守モードになり、ユーザに不自然な感じを与えるという問題を解決できる。
【図面の簡単な説明】
【図１】本発明の一実施例である留守番電話機１００を示すブロック図である。
【図２】本発明の一実施例である留守番電話機１００のＲＡＭ１０２とＦｌａｓｈＭｅｍｏｒｙ１０７の構成を示す図である。
【図３】本発明の一実施例である留守番電話機１００の電源オン動作を示すフローチャートである。
【符号の説明】
１００  留守番電話機
１０１  ＮＣＵ
１０２  ＲＡＭ
１０３  ＲＯＭ
１０４  制御部
１０５  操作部
１０６  表示部
１０７  Ｆｌａｓｈ  Ｍｅｍｏｒｙ
１０８  スピーカ
１０９  通信回線
２０１  動作モード記憶領域
２０２  工場出荷フラグ
【図１】
2005012338.tif 000003
【図２】
2005012338.tif 000004
【図３】
2005012338.tif 000005